(57)【要約】【課題】医療従事者が麻酔中の患者の状態を迅速かつ包括的に把握することができ、より安全な麻酔管理を行うことができる医療用表示装置を提供すること。【解決手段】患者１０の生命維持に関する基本生体情報である第１情報と、患者１０への麻酔薬の投薬によって生じた患者の神経系への作用に関する情報である第２情報と、を統合して同時に表示するようにしたことにより、医療従事者が麻酔中の患者の状態を迅速かつ包括的に把握することができ、より安全な麻酔管理を行うことができる医療用表示装置を実現できる。【選択図】図１
2016086972.tif 000002
【特許請求の範囲】
【請求項１】
患者の生命維持に関する基本生体情報である第１情報と、
前記患者への麻酔薬の投薬によって生じた前記患者の神経系への作用に関する情報である第２情報と、
を統合して同時に表示する、
医療用表示装置。
【請求項２】
さらに、前記患者への前記麻酔薬の投薬情報を、前記第１情報及び前記第２情報と統合して、前記第１情報及び前記第２情報と同時に表示する、
請求項１に記載の医療用表示装置。
【請求項３】
前記第１情報及び前記第２情報それぞれについて、リアルタイム情報とトレンド情報とを並べて表示する、
請求項１に記載の医療用表示装置。
【請求項４】
前記第１情報、前記第２情報及び前記投薬情報それぞれについての、リアルタイム情報とトレンド情報とを並べて表示する、
請求項２に記載の医療用表示装置。
【請求項５】
前記第１情報及び前記第２情報それぞれについてのトレンドグラフを、時間軸を合わせて並べて表示する、
請求項１又は請求項３に記載の医療用表示装置。
【請求項６】
前記第１情報、前記第２情報及び前記投薬情報それぞれについてのトレンドグラフを、時間軸を合わせて並べて表示する、
請求項２又は請求項４に記載の医療用表示装置。
【請求項７】
前記第１情報は、前記患者の呼吸及び循環に関する情報を含む情報である、
請求項１から請求項６のいずれか一項に記載の医療用表示装置。
【請求項８】
前記第２情報は、脳波モニター及び筋弛緩モニターによって得られた情報を含む、
請求項１から請求項７のいずれか一項に記載の医療用表示装置。
【請求項９】
請求項１から請求項８のいずれか一項に記載の医療用表示装置を具備する生体情報モニター。
【請求項１０】
シリンジポンプから患者に投与した麻酔の投薬速度の実測情報を入力し、当該実測された麻酔薬の投薬速度の履歴を表示する、
医療用表示装置。
【請求項１１】
前記実測された麻酔薬の投薬速度の履歴をトレンドグラフの形態で表示する、
請求項１０に記載の医療用表示装置。
【発明の詳細な説明】
【技術分野】
【０００１】
本発明は、医療用表示装置に関し、特に手術室やＩＣＵ（Intensive Care Unit）において麻酔薬を投与する際に用いて好適な医療用表示装置に関する。
【背景技術】
【０００２】
手術室やＩＣＵなどにおける麻酔時には、一般に、自動麻酔記録表示装置が用いられる。自動麻酔記録表示装置は、例えば特許文献１で開示されているように、麻酔期間中に患者から測定した生体情報、たとえば心拍数、体温、血圧値、酸素飽和度などを記録する。つまり、自動麻酔記録表示装置は、生体情報モニターとしての機能を有し、麻酔中の患者の生体情報を表示及び記録することで、医師などの医療従事者に麻酔中の生体の状態を把握させ、安全な麻酔投与を支援する。
【先行技術文献】
【特許文献】
【０００３】
【特許文献１】特開平１１−０５６７８５号公報
【発明の概要】
【発明が解決しようとする課題】
【０００４】
手術をしている患者の麻酔中の生命の安全に関して、生体情報モニターの進化が大きな役割を果たしてきた。現在の生体情報モニターは、心電図だけでなく自動血圧計で安定した血圧測定ができ、ＳｐＯ２やＥｔＣＯ２などのモニター機能も有するので、全身麻酔中の生命の安全を監視する上で非常に有効である。
【０００５】
しかし、非常に短時間で麻酔効果が現れる麻酔薬の登場や、全静脈麻酔の普及、筋弛緩薬の使用法の多様化、神経ブロック麻酔の流行などにより、かつて経験しなかったような複雑な組み合わせで麻酔が行われるようになってきている。
【０００６】
この結果、既存の生体情報モニターの表示画像を見るだけでは、患者の状態を迅速かつ包括的に把握することが難しく、安全な麻酔管理を行うのが困難となりつつある。
【０００７】
本発明は、以上の点を考慮してなされたものであり、医療従事者が麻酔中の患者の状態を迅速かつ包括的に把握することができ、より安全な麻酔管理を行うことができる医療用表示装置を提供する。
【課題を解決するための手段】
【０００８】
本発明の医療用表示装置の一つの態様は、
患者の生命維持に関する基本生体情報である第１情報と、
前記患者への麻酔薬の投薬によって生じた前記患者の神経系への作用に関する情報である第２情報と、を統合して同時に表示する。
【発明の効果】
【０００９】
本発明によれば、医療従事者が麻酔中の患者の状態を迅速かつ包括的に把握することができ、より安全な麻酔管理を行うことができる医療用表示装置を実現できる。
【図面の簡単な説明】
【００１０】
【図１】実施の形態の医療用表示装置の説明に供する図
【図２】実施の形態の表示画像例を示す図
【発明を実施するための形態】
【００１１】
以下、本発明の実施の形態について、図面を参照して詳細に説明する。
【００１２】
図１は、本発明の実施の形態に係る医療用表示装置（以下、単に「表示装置」と呼ぶ）の説明に供する図である。本発明の特徴は、表示装置１００の表示形態にあるので、図１及び以下の説明では、主にその表示形態について説明する。なお、表示装置１００のハードウェアは、情報入力部、表示制御部、ディスプレイなどの一般的な構成要素からなるので、ここではその説明は省略する。
【００１３】
なお、医薬の分野では、厳密には、麻酔薬と、鎮痛薬と、筋弛緩薬とは区別される場合もあるが、本明細書では、麻酔薬と記述した場合には、鎮痛薬や筋弛緩薬もそれに含まれるものとする。
【００１４】
図１に示すように、表示装置１００は、１つのディスプレイ画面１０１を分割して、基本生体情報と、麻酔効果情報と、人工呼吸情報と、投薬情報と、を１画面上に同時に表示するようになっている。
【００１５】
本実施の形態の場合、表示装置１００は、画面中の上部領域に基本生体情報を表示し、中部領域に麻酔効果情報及び人工呼吸情報を横に並べて表示し、下部領域に投薬情報を表示する。
【００１６】
ここで、基本生体情報は、患者１０の生命維持に関する情報であり、本実施の形態では、これを第１情報と呼ぶ。一方、麻酔効果情報は、患者１０への麻酔薬の投与によって生じる患者１０の神経系への作用に関する情報を含む情報であり、本実施の形態では、これを第２情報と呼ぶ。
【００１７】
基本生体情報は、例えば従来の生体情報モニターによって取得され表示されている情報であり、患者１０の呼吸及び循環に関する情報を含む情報である。具体的には、表示装置１００は、心電計２０１、血圧測定用カフ２０２、心拍出量センサー２０３、ＳｐＯ２センサー２０４及び体温センサー２０５などによって取得された基本生体情報を入力し、これを表示する。
【００１８】
麻酔効果情報は、鎮静、鎮痛、筋弛緩の効果に関する情報と言ってもよい。表示装置１００は、脳波モニター（脳波スペクトル分析装置）２１１によって測定されたＢＩＳ（Bispectral Index）値、及び筋弛緩モニター２１２によって測定された筋弛緩度を麻酔効果情報として表示する。また、本実施の形態の場合、ガスモニター２１３によって測定された吸気・呼気中のガス濃度を麻薬効果情報に含めて表示する。なお、このガス濃度は、麻薬効果情報とは別に表示してもよい。さらに、表示装置１００は、人工呼吸器２２１の動作情報を入力し、これを人工呼吸情報として表示する。
【００１９】
投薬情報は、患者１０に投与した麻酔薬の量や種類に関する情報である。表示装置１００は、シリンジポンプ２３１から患者１０に投与した麻酔薬の投薬速度及び種類に関する情報を入力し、これを投薬情報として表示する。なお、麻酔薬の種類に関する情報をユーザによって直接表示装置に入力する構成としてもよい。
【００２０】
これに加えて、表示装置１００は、トレンド情報を表示する領域と、リアルタイム情報を表示する領域とを有する。図１の例の場合、画面の左側にトレンド情報を表示し、右側にリアルタイム情報を表示するようになっている。
【００２１】
トレンド情報として、ショートトレンドグラフが表示される。ショートトレンドグラフとは、１時間未満の期間のトレンドグラフである。１時間以上のトレンドは、比較的短い時間で起こった急激な変化が波形上で埋没してしまい、波形上に現れない場合が多い。よって、本実施の形態では、トレンド情報表示領域に、短時間での急激な変化がトレンド波形上に現れるショートトレンドグラフを表示するようになっている。本実施の形態では、３０分間のショートトレンドグラフを表示するようになっている。因みに、本実施の形態の場合、ショートトレンドグラフの分解能（サンプリング間隔）は５秒とされている。分解能はこれ以外でもかまわないが、ショートトレンド波形を滑らかに表示できる程度の分解能であることが好ましい。また、トレンドグラフはスケールを変えたり、過去に遡って見たりできるようにすることが好ましい。なお、ショートトレンドグラフを用いると上述したようなメリットを得ることができ好適であるが、トレンド情報として表示するのはショートトレンドグラフに限らず、トレンドグラフであってもよい。
【００２２】
図２は、表示装置１００の１つのディスプレイ画面１０１に表示される表示画像例を示す図である。
【００２３】
第１情報（基本生体情報）のトレンド情報として、心拍数（ＨＲ）、酸素飽和度（ＳｐＯ２）、呼吸気中の炭酸ガス濃度（ＣＯ２）、呼吸数（ＲＲ）、観血血圧（ＢＰ）の最高及び最低血圧についての、それぞれのショートトレンドグラフが表示される。
【００２４】
第１情報（基本生体情報）のリアルタイム情報として、現在の、心拍数（ＨＲ）、酸素飽和度（ＳｐＯ２）、観血血圧（ＢＰ１）の最高及び最低血圧、呼吸気中の炭酸ガス濃度（ＣＯ２）、呼吸数（ＲＲ）、が、それぞれ計測値として表示される。また、これらの数値の右側には、心電図（ＩＩ×１）、酸素飽和度（ＳｐＯ２）、血圧（ＢＰ１）、呼吸気中の炭酸ガス濃度（ＣＯ２）、呼吸（ＲＥＳＰ）のカレント波形が表示される。カレント波形とは、トレンドグラフよりも短い期間、例えば数拍分の期間に相当する期間の波形である。さらに、図２の例の場合、現在の非観血血圧（ＮＩＢＰ）の最高及び最低血圧、体温Ｔ１（皮膚温）、Ｔ２（直腸温）の数値が表示されている。
【００２５】
なお、トレンドグラフ、計測値、カレントグラフは、各パラメータに応じて色分けされている。例えば、血圧に関するものは赤色、心拍に関するものは緑色、血液に関するものは黄色で表示されている。これにより、ユーザは、どのグラフがどのパラメータを示しているかをひと目で認識できる。
【００２６】
第２情報（麻酔効果情報）のトレンド情報として、ＢＩＳ値及び筋弛緩度（ＴＯＦ）についての、それぞれのショートトレンドグラフが表示される。本実施の形態の場合、筋弛緩度として、４連刺激（ＴＯＦ（Train Of Four））時に測定した筋反応を用いるようになっている。ＢＩＳ値や、４連刺激を用いた筋反応については、既知の技術であるためここでの詳しい説明は省略する。ＢＩＳ値が小さいほど大脳皮質の抑制が強いことつまり脳への麻酔効果が高い状態であることを意味し、４連刺激時の筋反応が小さいほど筋肉系への麻酔効果が高い状態であることを意味する。よって、これら２つのトレンドグラフを表示することにより、異なる見方で麻酔の効果を確認できるようになる。
【００２７】
さらに、第２情報（麻酔効果情報）のトレンド情報として、本実施の形態では、Ｏ２ガス、Ｎ２Ｏガス及びＳｅｖ（セボフルラン）ガスなどの揮発性吸入麻酔ガスのそれぞれのガス濃度のショートトレンドグラフが表示される。このガス濃度は吸気ガス濃度又は呼気ガス濃度のどちらでもよい。このガス濃度は、麻酔効果を直接的に表すものではないが、麻酔効果を確認するための補助情報として用いることができる。このことについて説明する。全身麻酔を行う場合には、一般に、先ず吸入麻酔ガスを用いた吸入麻酔が行われ、続いて静脈麻酔が行われる。静脈麻酔が投与されて麻酔が効いてくると、吸入麻酔ガスの濃度を下げていく操作が行われる。つまり、吸入麻酔ガスの濃度が下がっていることは、麻酔が効いている一つの指標となり得る。ただし、本発明は、第２情報（麻酔効果情報）として、このようなガス濃度を表示せずに実施してもよい。
【００２８】
第２情報（麻酔効果情報）のリアルタイム情報として、Ｏ２ガス、Ｎ２Ｏガス及びＳｅｖ（セボフルラン）などの揮発性吸入麻酔ガスのそれぞれについての、現在の吸気ガス濃度及び呼気ガス濃度の計測値（吸気ガス濃度／呼気ガス濃度）が表示される。Ｎ２Ｏ及び揮発性吸入麻酔ガスについては、吸気ガス濃度から呼気ガス濃度を引いた差分値が小さいほど、効果部位濃度と吸入濃度が平衡に達していることを示す。従って、投与している麻酔薬濃度自体を麻酔効果の指標として使用できる。また、第２情報（麻酔効果情報）のリアルタイム情報として、現在のＢＩＳ値及び筋弛緩度が数値として表示される。
【００２９】
人工呼吸情報として、スパイログラムが表示され、現在の人工呼吸器の動作情報及び外呼吸の状態が表示される。
【００３０】
投薬情報のトレンド情報として、患者１０に投与された各麻酔薬の麻酔薬別の投薬速度がショートトレンドグラフで表示される。
【００３１】
投薬情報のリアルタイム情報として、患者１０に投与される各麻酔薬の薬品名と、現在実際に投与されている投薬速度とが表示される。図の例では、例えば商品名が「アルチバ静注用２ｍｇ」である麻酔薬が、現在シリンジポンプ２３１によって１０（ｍＬ／ｈ）で投与されていることが表示されている。本実施の形態の表示装置１００は、シリンジポンプ２３１が麻酔薬の実際の投与量を測定する機能があることを利用し、シリンジポンプ２３１から実際の投与量の情報を入力し、それを表示するようになっている。これにより、医療従事者は、麻酔の実際の投与量及び投薬速度を正確に知ることができるようになる。
【００３２】
なお、トレンド情報を表示する領域には、単位の異なる複数のトレンドグラフが同時に表示されるため、実際には、各トレンドグラフ毎に変動単位が分かるような数値が表示されるが、図２では図を簡単化するためにこれを省略して示してある。
【００３３】
以上説明したように、本実施の形態によれば、患者１０の生命維持に関する基本生体情報である第１情報と、患者１０への麻酔薬の投薬によって生じた患者１０の神経系への作用に関する情報である第２情報と、を統合して同時に表示するようにしたことにより、医療従事者が麻酔中の患者１０の状態を迅速かつ包括的に把握することができ、より安全な麻酔管理を行うことができる医療用表示装置を実現できる。
【００３４】
また、患者１０への麻酔薬の投薬情報を、前記第１情報及び前記第２情報と統合して、前記第１情報及び前記第２情報と同時に表示したことにより、麻酔薬投与量と、基本生体情報及び患者１０の神経系への作用に関する情報との因果関係を一目で把握することができ、より安全な麻酔薬管理を支援することができるようになる。
【００３５】
また、リアルタイム情報とトレンド情報とを並べて表示したことにより、どのような過程を経て現状に至っているかを把握できるようになる。
【００３６】
また、基本生体情報、麻酔効果情報、投薬情報のトレンドグラフを、時間軸を合わせて並べて表示したことにより、医療従事者が患者１０の状態をより迅速かつ包括的に把握することができるようになる。
【００３７】
さらに、上述の実施の形態では、シリンジポンプ２３１から患者１０に投与した麻酔の投薬速度の実測情報を入力し、当該麻酔投薬速度の履歴を表示したことにより、実際に患者１０に投与された麻酔薬の投薬速度の変化を正確に把握でき、より安全な麻酔薬管理を支援することができるようになる。
【００３８】
なお、上述の実施の形態では、患者１０への麻酔薬の投薬によって生じた患者１０の神経系への作用に関する情報である第２情報に含まれる麻酔効果情報として、ＢＩＳ値及び筋反応を用いた場合について述べたが、麻酔効果情報はこれらに限らない。麻酔効果情報としては、例えば患者１０の神経反応の情報や、脳波の情報などを広く用いることができる。
【００３９】
本発明の医療用表示装置の機能は、生体情報モニターに搭載して具現化することもできる。
【００４０】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４１】
本発明の医療用表示装置は、手術室やＩＣＵにおいて麻酔薬を投与する際に用いて好適である。
【符号の説明】
【００４２】
１０  患者
１００  医療用表示装置
１０１  ディスプレイ画面
２０１  心電計
２０２  血圧測定用カフ
２０３  心拍出量センサー
２０４  ＳｐＯ２センサー
２０５  体温センサー
２１１  脳波モニター
２１２  筋弛緩モニター
２１３  ガスモニター
２２１  人工呼吸器
２３１  シリンジポンプ
【図１】
2016086972.tif 000003
【図２】
2016086972.tif 000004